【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
遊技盤上に打ち出された遊技球が始動入賞装置に入賞した時、図柄変動表示装置により所定の図柄合わせゲームを実行し、該図柄合わせゲームの結果が所定条件を満たすと、遊技者に対して有利な遊技価値を付与する大当たり状態となる遊技機において、
前記始動入賞装置は、遊技球が入賞しやすい第１状態と、遊技球が入賞しにくい第２状態とに変位可能に設けられ、
前記図柄変動表示装置による図柄合わせゲームの結果が、乱数抽選手段からの抽選信号に基づくリーチ状態に応じて、予め定められた時間だけ前記始動入賞装置を、通常の前記第２状態から第１状態に変位させて維持する変位制御手段とを有することを特徴とする遊技機。
【請求項２】
前記始動入賞装置は、
遊技球が入賞する入賞口と、
該入賞口の左右にそれぞれ設けられ、遊技球が入賞しやすい第１状態と、遊技球が入賞しにくい第２状態とに変位可能な一対の遊技球取込手段と、
該各遊技球取込手段を駆動させ、前記変位制御手段により制御される駆動手段と、
前記入賞口に入賞した遊技球数を検出する入賞検出手段とを有し、
前記各遊技球取込手段には、前記第１状態の時のみ少なくとも１以上の遊技球を貯留する遊技球貯留部が設けられ、
前記各遊技球取込手段は、該遊技球貯留部に貯留されている遊技球を前記入賞口に導くように構成されたことを特徴とする請求項１記載の遊技機。
【請求項３】
前記各遊技球取込手段は、前記第１状態から第２状態への変位に伴って、前記遊技球貯留部に貯留されている遊技球を前記入賞口に導入するように設定されたことを特徴とする請求項２記載の遊技機。
【請求項４】
前記各遊技球取込手段には、前記遊技球貯留部と反対側の位置に錘が設けられ、
前記各遊技球取込手段は、前記第１状態に維持されている時に、前記遊技球貯留部に遊技球が貯留されることで、該遊技球の重みにより前記第２状態に一時的に変位し、遊技球が前記入賞口に導入された後、前記錘により再び第１状態に復帰するように設定されたことを特徴とする請求項２または３記載の遊技機。
【請求項５】
前記各遊技球取込手段は、それぞれ同時に前記第１状態ないし第２状態に変位するように設定された可変入賞装置よりなることを特徴とする請求項２，３または４記載の遊技機。
【請求項６】
前記各遊技球取込手段は、それぞれ別々に前記第１状態ないし第２状態に変位するように設定された可変入賞装置よりなることを特徴とする請求項２，３または４記載の遊技機。
【手続補正２】
【補正対象書類名】明細書
【補正対象項目名】０００６
【補正方法】変更
【補正の内容】
【０００６】
本発明は、以上のような従来の問題点に着目してなされたもので、特にリーチ状態に応じてゲーム性を高める演出を施し、リーチ状態時にも遊技者のスリルと興奮を持続させることで、リーチ状態時に遊技球の発射を停止させるような面倒さを省くことができ、かつ遊技終了後に始動入賞装置が遊技球を入賞しやすい状態に変位するような不快感を遊技者に与えることもない遊技機を提供することを目的とする。
【手続補正３】
【補正対象書類名】明細書
【補正対象項目名】０００７
【補正方法】変更
【補正の内容】
【０００７】
【課題を解決するための手段】
前述した目的を達成するための本発明の要旨とするところは、次の各項に記載の発明に存する。
［１］遊技盤（１１）上に打ち出された遊技球が始動入賞装置（３０）に入賞した時、図柄変動表示装置（２０）により所定の図柄合わせゲームを実行し、該図柄合わせゲームの結果が所定条件を満たすと、遊技者に対して有利な遊技価値を付与する大当たり状態となる遊技機（１０）において、
前記始動入賞装置（３０）は、遊技球が入賞しやすい第１状態と、遊技球が入賞しにくい第２状態とに変位可能に設けられ、
前記図柄変動表示装置（２０）による図柄合わせゲームの結果が、乱数抽選手段（６１Ａ）からの抽選信号に基づくリーチ状態に応じて、予め定められた時間だけ前記始動入賞装置（３０）を、通常の前記第２状態から第１状態に変位させて維持する変位制御手段（６１Ｄ）とを有することを特徴とする遊技機（１０）。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
［２］前記始動入賞装置（３０）は、
遊技球が入賞する入賞口（３２）と、
該入賞口（３２）の左右にそれぞれ設けられ、遊技球が入賞しやすい第１状態と、遊技球が入賞しにくい第２状態とに変位可能な一対の遊技球取込手段（３３）と、
該各遊技球取込手段（３３）を駆動させ、前記変位制御手段（６１Ｄ）により制御される駆動手段（３９）と、
前記入賞口（３２）に入賞した遊技球数を検出する入賞検出手段（４３）とを有し、
前記各遊技球取込手段（３３）には、前記第１状態の時のみ少なくとも１以上の遊技球を貯留する遊技球貯留部（３４）が設けられ、
該各遊技球取込手段（３３）は、前記遊技球貯留部（３４）に貯留されている遊技球を前記入賞口（３２）に導くように構成されたことを特徴とする［１］記載の遊技機（１０）。
【手続補正６】
【補正対象書類名】明細書
【補正対象項目名】００１０
【補正方法】変更
【補正の内容】
【００１０】
［３］前記各遊技球取込手段（３３）は、前記第１状態から第２状態への変位に伴って、前記遊技球貯留部（３４）に貯留されている遊技球を前記入賞口（３２）に導入するように設定されたことを特徴とする［２］記載の遊技機（１０）。
【手続補正７】
【補正対象書類名】明細書
【補正対象項目名】００１１
【補正方法】変更
【補正の内容】
【００１１】
［４］前記各遊技球取込手段（３３）には、前記遊技球貯留部（３４）と反対側の位置に錘（４２）が設けられ、
前記各遊技球取込手段（３３）は、前記第１状態に維持されている時に、前記遊技球貯留部（３４）に遊技球が貯留されることで、該遊技球の重みにより前記第２状態に一時的に変位し、遊技球が前記入賞口（３２）に導入された後、前記錘（４２）により再び第１状態に復帰するように設定されたことを特徴とする［２］または［３］記載の遊技機（１０）。
【手続補正８】
【補正対象書類名】明細書
【補正対象項目名】００１２
【補正方法】変更
【補正の内容】
【００１２】
［５］前記各遊技球取込手段（３３）は、それぞれ同時に前記第１状態ないし第２状態に変位するように設定された可変入賞装置（５０）よりなることを特徴とする［２］，［３］または［４］記載の遊技機。
【手続補正９】
【補正対象書類名】明細書
【補正対象項目名】００１３
【補正方法】変更
【補正の内容】
【００１３】
［６］前記各遊技球取込手段（３３）は、それぞれ別々に前記第１状態ないし第２状態に変位するように設定された可変入賞装置（５０）よりなることを特徴とする［２］，［３］または［４］記載の遊技機。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
［２］記載の遊技機（１０）によれば、前記始動入賞装置（３０）は、その入賞口（３２）の左右に設けられた一対の遊技球取込手段（３３）が、遊技球が入賞しやすい第１状態と、遊技球が入賞しにくい第２状態とに変位する。各遊技球取込手段（３３）は、駆動手段（３９）によって駆動され、該駆動手段（３９）は、前記変位制御手段（６１Ｄ）によって制御される。
【手続補正１３】
【補正対象書類名】明細書
【補正対象項目名】００２１
【補正方法】変更
【補正の内容】
【００２１】
具体的には、［３］記載のように、前記各遊技球取込手段（３３）の第１状態から第２状態への変位に伴って、遊技球貯留部（３４）に貯留された遊技球を入賞口（３２）に導入するようにすれば、動きに変化があって面白い。
【手続補正１４】
【補正対象書類名】明細書
【補正対象項目名】００２３
【補正方法】変更
【補正の内容】
【００２３】
［４］記載の遊技機（１０）によれば、始動入賞装置（３０）の各遊技球取込手段（３３）が遊技球を入賞させやすい第１状態にある時、前記遊技球貯留部（３４）に遊技球が貯留されることで、該遊技球の重みにより第２状態に一時的に変位する。この変位に伴って遊技球は入賞口（３２）に導入される。
【手続補正１５】
【補正対象書類名】明細書
【補正対象項目名】００２５
【補正方法】変更
【補正の内容】
【００２５】
［５］記載の遊技機（１０）では、前記始動入賞装置（３０）の一対の遊技球取込手段（３３）が、それぞれ同時に入賞しやすい第１状態ないし入賞しにくい第２状態に変位する。従って、入賞しやすい第１状態時には、多数の遊技球を入賞させることができ、遊技者がリーチ状態時に遊技球の発射を停止するようなことが少なくなる。
【手続補正１６】
【補正対象書類名】明細書
【補正対象項目名】００２６
【補正方法】変更
【補正の内容】
【００２６】
［６］記載の遊技機（１０）では、前記始動入賞装置（３０）の一対の遊技球取込手段（３３）が、それぞれ別々に入賞しやすい状態ないし入賞しにくい状態に変位するため、始動入賞装置（３０）の形状変化におけるバリエーションが増し、遊技に面白味が増すという効果を奏する。
【手続補正１７】
【補正対象書類名】明細書
【補正対象項目名】００６１
【補正方法】変更
【補正の内容】
【００６１】
リーチ検出手段６１Ｃは、前記図柄変動表示装置２０による図柄合わせゲームの結果が、前記所定条件を満たす前段階であるリーチ状態を検出するものである。このリーチ検出手段６１Ｃは、前記図柄変動表示装置２０に表示されたリーチ状態を形成する図柄の種類も認識可能に構成されている。リーチ検出手段６１Ｃでは、前記乱数抽選手段６１Ａからの抽選信号に基づき、リーチ状態時の図柄を検出するように設定されている。